(57)【要約】【課題】組立・解体が容易に行えて異なる現場への転用が可能で、しかも、軽量化を図るとともに、必要な強度確保する。【解決手段】外部養生体ユニットが、複数互いに側部どうしを連結されることで構築中の建物の上部側面を覆うように配置される。外部養生体ユニットは、互いに平行となるよう鉛直方向に延びて配置されかつ支持部材が取り付けられる複数の建地フレーム３と、それら建地フレーム３と直交するように連結されるとともに互いに平行に配置される複数の布フレーム４と、建地フレームと布フレームとの交差部分どうしを連結するブレース５と、建地フレームの外方に建地フレームと平行に配置される外周補助建地材７と、布フレームに平行に配置される水平ラチス梁と備える。隣り合う外部養生体ユニットの対向する外部補助建地材７同士は、伸縮可能なスライディングダンパ１５によって連結される。【選択図】　　図１
2004068412.tif 000002
【特許請求の範囲】
【請求項１】
支持部材を介して構築中の建物に支持される外部養生体ユニットが、複数互いに側部どうしを連結されることで、前記構築中の建物の上部の施工現場の少なくとも側面を覆うように配置される外部養生体であって、
前記外部養生体ユニットは、互いに平行となるよう鉛直方向に延びて配置されるとともに前記支持部材が取り付けられる複数の建地フレームと、それら建地フレームと直交するように連結されるとともに互いに平行に配置される複数の布フレームと、前記建地フレームと前記布フレームとの交差部分どうしを連結するブレースと、前記布フレームに平行に配置される水平ラチス梁と備えてなることを特徴とする外部養生体。
【請求項２】
請求項１記載の外部養生体において、
前記建地フレームの外方には該建地フレームと平行に外周補助建地材が設けられ、
隣り合う外部養生体ユニットの対向する外部補助建地材同士は、伸縮可能なスライディングダンパによって連結されていることを特徴とする外部養生体。
【請求項３】
請求項２記載の外部養生体において、
前記スライディングダンパは、対向する一側の外部養生体ユニットの外周補助建地材に、対向する他側の外部養生体ユニットに向けて水平方向に延びて固定される筒体と、該筒体にその軸線方向に移動可能に嵌合される横移動体と、該横移動体と連結されるとともに前記他側の外部養生体ユニットの外周補助建地材の溝部内に上下方向移動可能に挿入される縦移動体と、前記筒体と前記横移動体との間に介在される弾性材とから構成されていることを特徴とする外部養生体。
【請求項４】
請求項１〜３のいずれかに記載の外部養生体において、
前記建地フレームには足場が取り付けられていることを特徴とする外部養生体。
【請求項５】
請求項１〜４のいずれかに記載の外部養生体において、
前記ブレースには養生ネットが緊結されていることを特徴とする外部養生体。
【発明の詳細な説明】
【０００１】
【発明の属する技術分野】
本発明はビル等を構築するときに用いて好適な外部養生体に関する。
【０００２】
【従来の技術】
周知のように、ビル等の建物を施工するに際しては、構築中の建物の上部の施工現場の側面を覆う外部養生体が用いられる。外部養生体は、落下養生や外部への塵埃の飛散防止、防音等を目的として建物全体を覆うシート等の遮蔽体の取付等のために利用される他、作業足場の確保のためにも利用される。
【０００３】
従来一般に知られている外部養生体は、いわゆる枠組足場を用いて地上より立設する形態のものであるが、この種の外部養生体では、ビル等を構築する場合に足場の組立・解体に多大な手間とコストがかかる。このため、外部養生体を地上ではなく施工中の建物に支持させて設置し、施工の進捗にともなって外部養生体全体を順次上方へ盛り替えていくという工法も用いられつつある。
【０００４】
【発明が解決しようとする課題】
ところで、このように施工の進捗に伴い順次上方へ盛り替えていくタイプの従来の外部養生体にあっては、以下のような問題があった。
すなわち、ビル等の建物を構築するに際して用いる従来の移動式外部養生体の一つに、パイプ材を組み合わせてなるフレームを主体としたものがあるが、組み立てに多大な手間がかかり、また、現場ごとに製作しているため、ある現場から他の現場への転用が困難であるという問題があった。
また、従来の他の移動式外部養生体として軽量形鋼を組み合わせてなるフレームを主体としたものもあるが、このものにあっては、フレームの面方向及び面外方向の荷重に対して弱く、盛り替えのため吊り上げてスライディングさせる際にひずみが生じるという問題があった。
【０００５】
上記事情に鑑みて、本発明は、組立・解体が容易に行えて異なる現場への転用が可能であり、しかも、軽量化と必要な強度確保とを同時に満足させることができる外部養生体を提供することを目的としている。
【０００６】
【課題を解決するための手段】
上記課題を解決するために本発明においては以下の手段を採用した。
すなわち、請求項１記載の外部養生体は、支持部材を介して構築中の建物に支持される外部養生体ユニットが、複数互いに側部どうしを連結されることで、前記構築中の建物の上部の施工現場の少なくとも側面を覆うように配置される外部養生体であって、前記外部養生体ユニットは、互いに平行となるよう鉛直方向に延びて配置されるとともに前記支持部材が取り付けられる複数の建地フレームと、それら建地フレームと直交するように連結されるとともに互いに平行に配置される複数の布フレームと、前記建地フレームと前記布フレームとの交差部分どうしを連結するブレースと、前記布フレームに平行に配置される水平ラチス梁と備えてなることを特徴とする。
上記外部養生体によれば、ユニット化されたものを複数互いの側部同士を連結するものであり、組立・解体が容易に行えて異なる現場への転用が可能である。また、建地フレーム及び布フレーム等からなる簡素化されたフレーム構成であるので、軽量化が図れる。さらに、建地フレーム等にはブレースが設けられているのでユニット面と平行な面方向の強度が確保され、また、水平ラチス梁が設けられているので、ユニット面と直交する方向の強度も確保されている。
【０００７】
請求項２記載の外部養生体は、請求項１記載のものにおいて、前記建地フレームの外方には該建地フレームと平行に外周補助建地材が設けられ、隣り合う外部養生体ユニットの対向する外部補助建地材同士が、伸縮可能なスライディングダンパによって連結されていることを特徴とする。
上記外部養生体によれば、外部養生体ユニットが伸縮可能なスライディングダンパによって連結されているので、個々の外部養生体ユニットを吊り上げてスライディングさせる際に、外部養生体ユニットが変形する等の理由によって両外部養生体ユニット同士の距離が変わるときでも、前記スライディングダンパがそれを吸収することから、引張力や圧縮力を作用させることなく、それら外部養生体ユニットをスムーズにスライディングさせることができる。
【０００８】
請求項３記載の外部養生体は、請求項２記載のものにおいて、前記スライディングダンパが、対向する一側の外部養生体ユニットの外周補助建地材に、対向する他側の外部養生体ユニットに向けて水平方向に延びて固定される筒体と、該筒体にその軸線方向に移動可能に嵌合される横移動体と、該横移動体と連結されるとともに前記他側の外部養生体ユニットの外周補助建地材の溝部内に上下方向移動可能に挿入される縦移動体と、前記筒体と前記横移動体との間に介在される弾性材とから構成されていることを特徴とする。
上記外部養生体によれば、外部養生体ユニットの一つを吊り上げてスライディングさせる際に、縦移動体が外部養生体ユニットの外周補助建地材の溝部内を上下方向に相対移動するので、連結された状態のままで、外部養生体ユニットの一つをスライディングさせることができる。また、このとき、外部養生体ユニットが変形する等により、両外部養生体ユニット同士の距離が変わる場合でも、筒体とそれと嵌合する横移動体とが軸線方向へ相対移動可能になっていてそれを吸収することから、引張力や圧縮力を作用させることなく、それら外部養生体ユニットをスムーズにスライディングさせることができる。
【０００９】
請求項４記載の外部養生体は、請求項１〜３のいずれかに記載の外部養生体において、前記建地フレームには足場が取り付けられていることを特徴とする。
上記外部養生体によれば、作業足場を兼ねることとなり、別途足場を設ける場合に比べ、コストの削減が図れかつ作業スペースを広く確保することができる。
【００１０】
請求項５記載の外部養生体は、請求項１〜４のいずれかに記載の外部養生体において、前記ブレースには養生ネットが緊結されていることを特徴とする。
上記外部養生体によれば、養生ネット緊結のための専用の建地や布地が不要となり、全体構成の簡素化と軽量化が図れる。
【００１１】
【発明の実施の形態】
以下、本発明の実施の形態を、図面に基づいて説明する。
図１（ａ）は本発明に係る外部養生体１の正面図、図１（ｂ）は図１（ａ）のＸーＸ線に沿う断面図である。
外部養生体１は、複数の外部養生体ユニット１Ａ…が、互いに側部どうしを連結されることで、構築中の建物の上部の施工現場の少なくとも側面を覆うように配置されるものである。
なお、図１では２個の外部養生ユニット１Ａを連結したものしか示していないが、実際にはこれら外部養生体ユニット１Ａが多数、互いの側部同士を連結されて配置される。
【００１２】
外部養生体ユニット１Ａは、互いに平行となるよう鉛直方向に延びて配置される複数（図１では２本）の建地フレーム３と、それら建地フレーム３と直交するように連結されるとともに互いに平行に等間隔をあけて配置される複数（図１では４本）の布フレーム４と、建地フレーム３と布フレーム４との交差部分どうしを連結するようＸ字状に配置されるブレース５と、布フレーム４に平行に配置される水平ラチス梁６とを備える。
【００１３】
建地フレーム３の外方には所定間隔をあけて該建地フレーム３と平行に外周補助建地材７が設けられ、これら外周補助建地材７は前記建地フレーム３よりも外方へ延びる前記布フレーム４の端部に連結されている。また、これら外周補助建地材７と布フレーム４との連結部にも、建地フレーム３と布フレーム４との連結部にまががるＸ字状のブレース８が配置される。
【００１４】
前記建地フレーム３、前記布フレーム４及び前記外周補助建地材７は、それぞれ形鋼や軽量形鋼により構成される。例えば、建地フレーム３にはＩ形鋼またはＨ形鋼が用いられ、布フレーム４及び外周補助建地材７には軽溝形鋼が用いられる。また、ブレース５、８には適宜径の丸鋼が用いられる。なお、上記した材料はあくまで例示であり、必要に応じ適宜他の材料を用いてもよいのは言うまでもない。
【００１５】
また、建地フレーム３にはブラケット足場２０が構築中の建物側に位置するように取り付けられている。ブラケット足場２０は、建地フレーム３の所定高さ位置に固定的に取り付けられても、あるいは上下方向に移動調整可能に取り付けられいてもよく、個数は単数、複数いずれでもよい。
【００１６】
前記水平ラチス梁６は、建地フレーム３の建物側の側面に上下方向に間隔をあけて複数（図２では３個）取り付けられるものである。
水平ラチス梁６の具体的構成は、例えば、最下端に配置されるものでは、図１（ｂ）に示すように、長手部材と短手部材からなる平面視コ字状の枠体６ａと、該枠体６ａの補強を行う長手部材の両端から内方へ入った位置に短手部材と平行に配置される補強材６ｂと、枠体６ａ及び最下端の布フレーム４との間にジグザグ状に渡されるラチス材６ｃとから構成されている。そして、枠体６ａと補強材６ｂはそれぞれ例えば軽山形鋼からなり、ラチス材６ｃは丸鋼からなっている。
なお、水平ラチス梁６が取り付けられ位置は、最下部に位置するものの場合、布フレーム４と同じ高さ位置とされているが、これに限られることなく、布フレーム４とは異なる高さ位置に設けてもよい。
【００１７】
また、建地フレーム３の中間部所定位置には、当該外部養生体ユニット１Ａを構築中の建物に支持させる公知の支持部材１０が取り付けられている。
支持部材１０は、この実施の形態の場合、高さ方向に間隔をあけて配置される前述した３個の水平ラチス梁６の内、最上部と中間部にそれぞれ配置される前記水平ラチス梁６と同一高さ位置に設けられている。支持部材１０は、前記建地フレーム３の側部にそれと直交するよう建物側へ水平方向に延びる延出部１０ａと、延出部１０ａの下部に延出部１０ａの突出量の約半分程度延出部１０ａと同方向（建物側）へ突出する反力受け部１０ｂと、該反力受け部１０ｂに対向するよう延出部１０ａにその軸線方向に沿って移動可能に取り付けられた固定金物１０ｃとからなっている。
なお、延出部１０ａは例えばＩ形鋼またはＨ形鋼からなり、反力受け部１０ｂはＩ形鋼またはＨ形鋼と鋼板とが同一面状に溶接されてなり、また、固定金物１０ｃは、延出部１０ａに移動可能に外嵌されるとともに止めねじ１０ｃａによって延出部１０ａに対し適宜位置で固定され、その下端部に固着用ねじ１０ｃｂを有してなるものである。
【００１８】
そして、この支持部材１０では、延出部１０ａの下面をバルコニーＢの立ち上がり部Ｂａの上面に突き当てるとともに、前記反力受け部１０ｂと前記固定金物の固着用ねじ１０ｃｂとの間でバルコニーＢの立ち上がり部Ｂａを挟み込み、これにより、当該外部養生体ユニット１Ａを構築中の建物の所定高さ位置に固定できるようになっている。
【００１９】
なお、この実施の形態で示す支持部材１０は、水平ラチス梁６と一体的に設けられているが、これに限られることなく、水平ラチス梁６とは別々に設けてもよい。また、支持部材１０は、建地フレーム３に対し上下方向へ移動可能に取り付け、他の現場へ転用されたときに、その建物の階高に対応できるように構成してもよい。さらに、必要に応じて、後述するように外部養生体ユニット１Ａを吊り上げてスライディングさせる際等に、建物側へ出っ張らないように収納可能あるいは脱着可能な構成にしてもよい。
【００２０】
前記ブレース５、８には養生ネット１２が緊結されている。この養生ネット１２は、外部養生体１の下端よりも下方へ垂れ下がり、該外部養生体１が取り付けられる建物のフロアより一階下側のバルコニーＢまで延びる長さに設定されている。
なお、最下端に位置する水平ラチス梁６の上面にも養生ネット１３が緊結されてる。
【００２１】
隣り合う外部養生体ユニット１Ａの外部補助建地材７同士は、伸縮可能なスライディングダンパ１５によって連結されている。
スライディングダンパ１５は、図３に示すように、対向する一側の外部養生体ユニット１Ａ（図３において右側）の外周補助建地材７に、対向する他側の外部養生体ユニット１Ａに向けて水平方向に延びて固定される外筒（筒体）１５ａと、該外筒１５ａ内にその軸線方向に移動可能に嵌合される内筒（横移動体）１５ｂと、該内筒１５ｂと連結部材１５ｃを介して連結されるとともに前記対向する外部養生体ユニット１Ａの他側の外周補助建地材７の溝部内に上下方向移動可能に挿入されるパイプ材（縦移動体）１５ｄと、前記外筒１５ａと前記内筒１５ｂとの間に介在される弾性材１５ｅとから構成されている。
【００２２】
ここで、弾性材１５ｅとしてこの実施の形態の場合スプリングが用いられ、このスプリングは、前記外筒１５ａの底部に固定されたスプリング座１５ａａと、前記内筒１５ｂの端部に固定されたスプリング座１５ｂａとの間に介装されている。また、内筒１５ｂとパイプ材１５ｃとを連結する連結部材１５ｃは、他側の外部養生体ユニット１Ａの外周補助建地材７を構成する軽溝形鋼の溝開口部７ａを貫通しており、同軽溝形鋼とは干渉しないようになっている。
【００２３】
また、外部養生体１にはバルコニーのＰＣ板セット用やシーリング・塗装工事用の足場が設けられる。足場としては、前記水平ラチス梁６を利用し、その上に足場板を載せて確保してもよく、また、水平ラチス梁６とは別に、専用の足場を、前記建地フレーム３に上下方向移動可能に設けてもよい。
【００２４】
次に、上記構成の外部養生体１の作用について説明する。
建物を施工しているときには、外部養生体１は少なくとも施工階の外周を覆うように設置される。
具体的には、図２に示すように、上下２段に設けられた支持部材１０の延出部１０ａの下面をバルコニーＢの立ち上がり部Ｂａの上面に突き当てるとともに、反力受け部１０ｂと固定金物１０ｃの固着用ねじ１０ｃｂとの間でバルコニーＢの立ち上がり部Ｂａを挟み込み、これにより、支持部材１０を建物のバルコニーＢに固定し、もって、当該外部養生体ユニット１Ａを構築中の建物の所定高さ位置に固定させる。互いに隣接する外部養生体ユニット１Ａどうしは、スライディングダンパ１５によって互いに連結される。そして、各外部養生体ユニット１Ａの外周面等に養生ネット１２、１３を張設することにより、建物の施工階並びにその下側の階は、その外周が全周にわたって養生されることとなる。
【００２５】
そして、施工の進捗に伴い、外部養生体１を上方へ盛り替えるときには、外部養生体ユニット１Ａを一つずつ盛り替えるようにする。これには、まず、盛り替えようとする外部養生体ユニット１Ａを、クレーンあるいはウインチ等の吊り上げ機構により吊り下げて支持し、この状態で、支持部材１０による支持を解除する。すなわち、固着用ねじ１０ｃｂを緩めて、この固着用ねじ１０ｃｂと反力受け部１０ｂとの間の挟み込みを解除し、その後、止めネジ１０ｃａを緩めて、固定金物１０ｃを反力受け部１０ｂから遠ざかる方向へ移動させる。その後、必要に応じて、支持部材１０を建物のバルコニーと干渉しないよう、収納したり取り外したりする。
【００２６】
次いで、図示しないクレーン等の吊り上げ機構によって、外部養生体ユニット１Ａを所定高さまでスライディングさせる。
このとき、パイプ材１５ｃが外周補助建地材７内に上下方向へ移動可能に嵌合されているため、スライディングダンパ１５で隣接する外部養生体ユニット１Ａどうしを連結した状態のまま、その内の一つの外部養生体ユニット１Ａをスライディングさせることができる。また、このとき、吊り上げ機構による吊り上げ位置等の関係で、外部養生体ユニット１Ａに偏荷重が加わって変形し、これに伴い、隣接する両外部養生体ユニット１Ａ同士の距離が変わる場合でも、外筒１５ａとそれに嵌合している内筒１５ｂとが軸線方向へ相対移動可能になっていて、これにより同距離が変わることを吸収するから、引張力や圧縮力を作用させることなく、同外部養生体ユニット１Ａをスムーズにスライディングさせることができる。
【００２７】
外部養生体ユニット１Ａを所定高さ位置までスライディングさせた後、再び、支持部材１０を建物側へ突出するようにセットし、該支持部材１０によってスライディング後の外部養生体ユニット１Ａをその高さ位置に固定させる。
【００２８】
上記構成の外部養生体１によれば、ユニット化されたものを複数互いの側部同士を連結するものであるから、組立・解体が容易に行えて、異なる現場への転用が可能である。また、建地フレーム３及び布フレーム４等からなる簡素化されたフレーム構成であるので、軽量化が図れる。さらに、建地フレーム３等にはブレースが設けられているのでユニット面と平行な面方向の強度が確保され、また、建地フレーム３等には水平ラチス梁６が設けられているので、ユニット面と直交する方向の強度も確保されている。
【００２９】
以上において本発明の一実施の形態を説明したが、本発明は上記実施の形態に限定されるものでなく、その趣旨を逸脱しない範囲内で他の構成を採用することができる。
例えば、前述の実施の形態では、建地フレーム３を２本としているが、３本以上としても勿論かまわない。また、布フレーム４もその本数は、上記実施の形態の如く４本に限られることなく、３本あるいは５本以上であってもよい。
また、前記実施の形態では、対向する一側の外部養生体ユニット１Ａの外周補助建地材７に外筒１５ａを設け、この外筒１５ａ内に内筒１５ｂをその軸線方向に移動可能に嵌合させているが、これに限られることなく、外筒と内筒を逆に配置してもよい。すなわち、対向する一側の外部養生体ユニット１Ａの外周補助建地材７に内筒を設け、この内筒に外筒をその軸線方向に移動可能に嵌合させてもよい。
【００３０】
【発明の効果】
請求項１に係る請求項１記載の外部養生体によれば、ユニット化されたものを複数互いの側部同士を連結するものであり、組立・解体が容易に行えて異なる現場への転用が可能である。また、建地フレーム及び布フレーム等からなる簡素化されたフレーム構成であるので、軽量化が図れる。さらに、建地フレーム等にはブレースが設けられているのでユニット面と平行な面方向の強度が確保され、また、水平ラチス梁が設けられているので、ユニット面と直交する方向の強度も確保されている。
【００３１】
請求項２に係る外部養生体によれば、外部養生体ユニットが伸縮可能なスライディングダンパによって連結されているので、個々の外部養生体ユニットを吊り上げてスライディングさせる際に、外部養生体ユニット同士を連結したままでも、スライディングダンパの働きにより引張力や圧縮力を作用させることなく、それら外部養生体ユニットをスムーズにスライディングさせることができる。
【００３２】
請求項３に係る外部養生体によれば、スライディングダンパを、筒体と、筒体に移動可能に嵌合される横移動体と、横移動体と連結される縦移動体と、筒体と横移動体との間に介在される弾性材とによる、必要最小限の構成部品から構成しているので、小形、軽量化が図れ、外部養生体ユニット同士を、ある程度の横方向及び縦方向の相対移動を許容しつつ連結することができる。
【００３３】
請求項４に係る外部養生体によれば、前記建地フレームに足場を取り付けているから、別途足場を設ける場合に比べ、コストの削減が図れかつ作業スペースを広く確保することができる。
【００３４】
請求項５記載の外部養生体によれば、養生ネット緊結のための専用の建地や布地が不要となり、全体構成の簡素化並びに軽量化が図れる。
【図面の簡単な説明】
【図１】本発明の外部養生体の実施の形態を示すもので、（ａ）は正面図、（ｂ）は（ａ）のＸーＸ線に沿う断面図である。
【図２】本発明の外部養生体の側面図である。
【図３】図１（ａ）のＹ円部の拡大図である。
【符号の説明】
１　外部養生体
１Ａ　外部養生体ユニット
３　建地フレーム
４　布フレーム
５　ブレース
６　水平ラチス梁
７　外部補助建地材
１０　支持部材
１２、１３　養生ネット
１５　スライディングダンパ
１５ａ　外筒（筒体）
１５ｂ　内筒（横移動体）
１５ｃ　連結部材
１５ｄ　パイプ材（縦移動体）
１５ｅ　弾性体
２０　ブラケット足場
【図１】
2004068412.tif 000003
【図２】
2004068412.tif 000004
【図３】
2004068412.tif 000005